(57)【要約】【課題】ロック機構とトルク発生機構を一体の部品より構成して、簡単に組み立てることが可能なチルト機構、およびチルト機構を使用した液晶パネル用スタンドの提供を目的とする。【解決手段】液晶パネル用スタンドの固定側部材１２は回転軸１３が貫通するとともに、同貫通した回転軸の軸心を中心とした回転を阻害するよう固定する固定手段を有し、保持部材１４は、片側面より突出する突起部１４ｂを有し、突起部１４ｂの突出する方向に付勢力を有する厚みの薄い形状であって、回転軸１３と略並行な力にて突起部１４ｂの突出方向に押圧を有するよう固定側部材１２と固定され、可動側部材１１は、回転軸１３に沿って可動側部材１１を回転させた際、固定側部材１２に固定される保持部材１４の突起部１４ｂが挿入して係合する開口部である保持穴１５、１６を複数有する。【選択図】図１
2007299025.tif 000002
【特許請求の範囲】
【請求項１】
液晶パネルを固定する可動側部材と、
上記可動側部材を支持する固定側部材と、
上記可動側部材と固定側部材とを貫通して同可動側部材を回転可能に連結する回転軸と、
上記回転軸を介して所定の角度だけ回転した可動側部材の回転姿勢を保持する保持部材とを有する液晶パネル用スタンドにおいて、
上記固定側部材は、設置面と略並行に配置され上記液晶パネルの重量を支える幅広の第一の台座面と第二の台座面から上方に延設し上記回転軸が貫通する長穴の第一の貫通穴を有する連結面対と、上記第一の台座面と第二の台座面から上方に上記連結面対と略平行に所定間隔を有して向かいあうよう延設し、向かい合う上記連結面対の上記第一の貫通穴と略同等の位置にネジが貫通する第二の貫通穴を有する回転軸支持面対とから形成され、
上記保持部材は、上記回転軸が貫通する長穴の第三の貫通穴を略中心とする略円形断面であるとともに、厚み方向に付勢力を有する厚みの薄い形状であって、上記円形断面の緑部近傍より厚み方向に突出する第一の突起部と、上記第三の貫通穴を略中心とする上記第一の突起部と同円周上の略９０度だけ開いた位置より突出する第二の突起部とを有し、
上記可動側部材は、上記液晶パネルの背面と略並行に接するようネジ止めして固定するパネル固定面と、上記パネル固定面の幅方向両端より前方に延設する縁面が、同パネル固定面を底面とするリブ形状を構成し、上記縁面に上記回転軸が貫通する円形断面の第四の貫通穴と、上記第四の貫通穴を略中心として上記第三の貫通穴の略中心から上記突起部の略中心までの長さを径とする円周上に、上記第四の貫通穴から略鉛直上方に配置されて上記突起部が挿入する開口部を有する第一の保持穴と、上記円周上の上記第一の保持穴から厚み方向前方に略１０度だけ傾いた位置に配置され、上記突起部が挿入する開口部を有する第二の保持穴と、上記円周上の上記第一の保持穴から厚み方向後方に略１０度だけ傾いた位置に配置され、上記突起部が挿入する開口部を有する第三の保持穴とを有し、
上記回転軸は、厚みの薄い略円形断面の傘部の略中央から延設する軸部の断面が、上記傘部から上記保持部材の略厚み分だけの長さの断面で上記第二の貫通穴と係合するよう扁平である第一の部位と、上記第一の部位の端部から上記可動側部材の厚み分だけの長さの断面が略円形である第二の部位と、上記第二の部位の端部から上記固定側部材の厚み分だけの長さの断面が上記固定側部材の第一の貫通穴と係合するよう扁平である第三の部位と、上記第三の部位の端部から先端に掛けて雄ネジ部を有する第四の部位とを有する第一の回転軸と、同第一の回転軸と同形状の第二の回転軸とから構成され、
上記突起部が上記縁面に形成された各保持穴に挿入するよう、上記保持部材と上記固定側部材の連結面とで上記可動側部材の縁面を挟み込むよう配置し、上記固定側部材の連結面対と回転軸支持面対の間に上記第一の回転軸と第二の回転軸の第四の部位と螺合するネジ穴を有するパイプ形状の支持部材とを配置し、上記第一の回転軸と第二の回転軸の傘部の首下面が上記保持部材の第二の貫通穴の週緑部を押圧することで上記保持部材の上記突起部を有する面と上記可動側部材の縁面とが圧接するよう、上記第一の回転軸と第二の回転軸を同保持部材側から各貫通穴を介して貫通させて上記支持部材を用いて固定するとともに、上記支持部材が回転しないよう上記回転軸支持面対側から上記支持部材と固定することを特徴とする液晶パネル用スタンド。
【請求項２】
液晶パネルを固定する可動側部材と、上記可動側部材を支持する固定側部材と、上記可動側部材と固定側部材とを貫通して回転可能に連結する回転軸と、上記回転軸を介して所定の角度だけ回転した可動側部材の回転姿勢を保持するための保持部材とから構成されたチルト装置において、
上記固定側部材は上記回転軸が貫通するとともに、同貫通した回転軸の軸心を中心とした回転を阻害するよう固定する固定手段を有し、
上記保持部材は、片側面より突出する突起部を有し、上記突起部の突出する方向に付勢力を有する厚みの薄い形状であって、上記回転軸と略並行な力にて上記突起部の突出方向に押圧を有するよう上記固定側部材と固定され、
上記可動側部材は、上記回転軸に沿って同可動側部材を回転させた際、上記固定側部材に固定される保持部材の突起部が挿入して係合する開口部である保持穴を複数有することを特徴とするチルト装置。
【請求項３】
上記固定手段は、上記固定側部材の上記回転軸が貫通する貫通穴の断面形状を長穴にした扁平形状とするとともに、上記回転軸の上記固定側部材を貫通する部位の断面を上記貫通穴の扁平形状と係合するよう断面の頂点近傍をカットした形状とすることを特徴とする請求項２に記載のチルト装置。
【請求項４】
上記保持部材は上記回転軸が貫通する貫通穴を有し、
上記固定側部材とで、上記可動側部材を挟み込むよう上記回転軸に貫通されることを特徴とする請求項２または請求項３のいずれかに記載のチルト装置。
【請求項５】
上記回転軸は、断面円形の厚みの薄い傘部の略中心から延設する軸部を有する第一の回転軸と、同第一の回転軸と同形状の第二の回転軸とから構成されることを特徴とする請求項２〜請求項４のいずれかに記載のチルト装置。
【請求項６】
上記可動側部材の保持穴は、上記可動側部材を上記回転軸に沿わせて回転させた際、上記可動側部材の回転姿勢が、上記固定側部材の配置面に対して略垂直になるよう配置される第二の保持穴と、上記固定側部材の配置面に対して略垂直より１０度だけ前に傾くよう配置される第三の保持穴と、上記固定側部材の配置面に対して略垂直より１０度だけ後ろに傾くよう配置される第四の保持穴とを有することを特徴とする請求項２〜請求項５のいずれかに記載のチルト装置。
【発明の詳細な説明】
【技術分野】
【０００１】
本発明は、チルト装置に関し、特にフラットパネルを固定する可動側の回転姿勢を保持するチルト装置、および上記チルト装置を利用する液晶パネル用スタンドに関する。 
【背景技術】
【０００２】
図８は従来のチルト装置の概略構成図である。同図より、チルト装置は液晶パネル等のフラットパネルを固定する可動側部材２と、上記可動側部材を保持する固定側部材１と、上記可動側部材と上記固定側部材とを回転可能に連結する回転軸３と、上記回転軸３により回転する可動側部材２の回転姿勢を保持する保持機構４とから形成されている。
【０００３】
保持機構４は、上述したように可動側部材２の回転姿勢を保持するためのものであり、回転姿勢を決定するロック機構５と、付勢力を有する板バネ等を使用するバネ部６とバネ部６を押さえつける押さえ部７とから形成されたトルク発生部を有する構成である。また、可動側部材２には、可動側部材２が回転させたい回転角に応じて上記固定部と係合する係合穴１ａを有しており、上記バネ部６により付勢力を与えられた固定側部材１が、上記係合穴１ａと係合する構成である。上述した構成により、可動側部材２に固定された液晶パネルは、所定の回転角を有する姿勢を保持することが可能となる。
【０００４】
上述した機構を応用した発明に、上記した保持機構を固定側部材に配置するとともに、バネ部にコイルスプリングを使用した機構が開示されている（例えば、特許文献１参照。）。
【０００５】
また、上述した固定側部材を多層に形成し、上記可動側部材の係合穴と係合するとともに、多層に配置した固定側部材間で同様の形状により係合を行うことで角度調整を容易にした機構が開示されている（例えば、特許文献２参照。）。
【０００６】
また、上記した機構とは異なるが、フリクションピンを利用し、フリクションピンのフリクショントルクにより、可動側部材の回転姿勢を保持する方法が開示されている（例えば、特許文献３参照。）。
【特許文献１】特開２００５−２４２０７５
【特許文献２】特開２００５−１８８５４２
【特許文献３】特開２００１−１６５１４３
【発明の開示】
【発明が解決しようとする課題】
【０００７】
上述した特許文献１の発明は、次のような課題があった。つまり、従来の保持機構は、ロック機構とトルク発生機構とを別の部品により構成しており、生産する際に時間がかかった。
【０００８】
また、特許文献２の発明は、次のような課題があった。つまり、保持機構は同様にロック機構とトルク発生機構とを別の部品により構成しており、且つバネ部に板バネを幾重にも重ねているため生産効率が一層悪いものであった。
【０００９】
また、特許文献３の発明は、次のような課題があった。もともとチルト装置のヒンジを小さくするためのものであるため、部品点数には留意したものではなかった。さらに、チルトヒンジのフリクショントルクを発生させるためにグリス等の流体を使用するため、生産する際にグリスの管理等の余計な手間がかかった。
【００１０】
本発明は、上記課題にかんがみてなされたもので、保持機構のロック機構とトルク発生機構を一体の部品より構成して、簡単に組み立てることが可能なチルト装置の提供、および上記チルト装置を使用した液晶パネルの提供を目的とする。
【課題を解決するための手段】
【００１１】
上記目的を達成するために請求項１の発明は、印加電圧により分子の配列を変化させ、バックライトからの光の透過率を変化させる液晶パネルを固定する可動側部材と、上記可動側部材を支持する固定側部材と、上記可動側部材と固定側部材とを貫通して同可動側部材を回転可能に連結する回転軸と、上記回転軸を介して所定の角度だけ回転した可動側部材の回転姿勢を保持部材にて保持することで上記液晶パネルの傾斜角度を選択可能な液晶パネル用スタンドにおいて、
上記固定側部材は、設置面と略並行に配置され、上記液晶パネルの重量を支える幅広の第一の台座面と第二の台座面と、上記第一の台座面と第二の台座面から上方に延設するとともに、上記回転軸が貫通する長穴の第一の貫通穴を有する連結面対と、上記第一の台座面と第二の台座面から上方に上記連結面対と略平行に所定間隔を有して向かいあうよう延設するとともに、上記回転軸が貫通する円形断面の第二の貫通穴を有する回転軸支持面対とから形成され、
上記保持部材は、上記回転軸が貫通する長穴の第三の貫通穴を略中心とする円形断面形状であって、厚み方向に付勢力を有する厚みの薄い形状とし、上記円形断面の緑部近傍より厚み方向に突出する第一の突起部と、上記第三の貫通穴を略中心とする上記第一の突起部と同円周上の略９０度だけ開いた位置より突出する第二の突起部とを有し、
上記可動側部材は、上記液晶パネルの背面と略並行に接するようネジ止めして固定するパネル固定面と、上記パネル固定面の幅方向両端より前方に延設する縁面対が、同パネル固定面を底面とするリブ形状を構成し、上記縁面に上記回転軸が貫通する円形断面の第四の貫通穴と、上記第四の貫通穴を略中心として、上記第三の貫通穴の略中心から上記突起部の略中心までの長さを径とする円周上に、上記第四の貫通穴から略鉛直上方に配置されて上記突起部が挿入する開口部を有する第一の保持穴と、上記円周上の上記第一の保持穴から厚み方向前方に略１０度だけ傾いた位置に配置され、上記突起部が挿入する開口部を有する第二の保持穴と、上記円周上の上記第一の保持穴から厚み方向後方に略１０度だけ傾いた位置に配置され、上記突起部が挿入する開口部を有する第三の保持穴とを有し、
上記回転軸は、厚みの薄い略円形断面の傘部の略中央から延設する軸部の断面が、上記傘部から上記保持部材の略厚み分だけの長さの断面で上記第二の貫通穴と係合するよう扁平である第一の部位と、上記第一の部位端部から上記可動側部材の厚み分だけの長さの断面が略円形である第二の部位と、上記第二の部位端部から少なくとも上記固定側部材の厚み分だけの長さの断面が上記固定側部材の第一の貫通穴と係合するよう扁平である第三の部位を有する第一の回転軸と、同第一の回転軸と同形状の第二の回転軸とから構成され、  上記突起部が上記縁面に形成された各保持穴に挿入するよう、上記保持部材と上記固定側部材の連結面とで上記可動側部材の縁面を挟み込むよう配置し、上記固定側部材の連結面対と回転軸支持面対の間に上記第一の回転軸と第二の回転軸の第四の部位と螺合するネジ穴を有するパイプ形状の支持部材とを配置し、上記第一の回転軸と第二の回転軸の傘部の首下面が上記保持部材の第二の貫通穴の週緑部を押圧することで上記保持部材の上記突起部を有する面と上記可動側部材の縁面とが圧接するよう、上記第一の回転軸と第二の回転軸を同保持部材側から各貫通穴を介して貫通させて上記支持部材を用いて固定するとともに、上記支持部材が回転しないよう上記回転軸支持面対側から上記支持部材と固定する構成としてある。
【００１２】
上記のように構成した請求項１にかかる発明においては、液晶パネルを固定する可動側部材を、回転軸にて連結する固定側部材にて支持するとともに、上記回転軸を介して所定の角度だけ回転した可動側部材の回転姿勢を保持部材の突起部を、可動側部材の縁面に形成される保持穴に挿入させて固定することで上記液晶パネルの傾斜角度を選択可能にする。
【００１３】
このとき、保持部材は上記突起部を上記縁面に形成された各保持穴に挿入するため、上記保持部材と上記固定側部材の連結面とで上記可動側部材の縁面を挟み込むよう配置するとともに、上記第一の回転軸と第二の回転軸を同保持部材側から各貫通穴を介して貫通させる。上記貫通した回転軸は、上記支持部材の雌ネジ部とネジ止めすることで固定する。さらに、上記回転軸支持面対側と上記支持部材とを上記第二の貫通穴を用いて固定する。このため、上記第一の回転軸と第二の回転軸の傘部の首下面が上記保持部材の第二の貫通穴の週緑部を押圧することで、上記保持部材の上記突起部を有する面と上記可動側部材の縁面とが圧接されて、上記保持穴に挿入した突起部の突出方向に力が加わり、可動側部材の回転姿勢を保持する。また、保持部材は厚み方向に弾性力を付勢しているので、可動側部材を回転軸に沿わして回転することで、上記突起部は保持穴から外れ、可動側部材の回転に合わせて他の保持穴に挿入する。
【００１４】
また、上記目的を達成するために、請求項２に記載のチルト装置では、液晶パネルを固定する可動側部材と、上記可動側部材を支持する固定側部材と、上記可動側部材と固定側部材とを貫通して回転可能に連結する回転軸と、上記回転軸を介して所定の角度だけ回転した可動側部材の回転姿勢を保持するための保持部材とから構成されたチルト装置において、上記固定側部材は上記回転軸が貫通するとともに、同貫通した回転軸の軸心を中心とした回転を阻害するよう固定する固定手段を有し、上記保持部材は、片側面より突出する突起部を有し、上記突起部の突出する方向に付勢力を有する厚みの薄い形状であって、上記回転軸と略並行な力にて上記突起部の突出方向に押圧を有するよう上記固定側部材と固定され、上記可動側部材は、上記回転軸に沿って同可動側部材を回転させた際、上記固定側部材に固定される保持部材の突起部が挿入して係合する開口部である保持穴を複数有する構成としてある。
【００１５】
上記のように構成した請求項２の発明では、可動側部材と固定側部材とは回転軸にて回転可能に結合するとともに、固定側部材を貫通する回転軸は、固定手段によって回転を阻害するよう固定されている。また、保持部材は、固定側部材と上記回転軸と略並行に上記突起部の突出する方向に押圧を有するよう固定されている。このとき、可動側部材を上記回転軸に沿わして回転した際、上記突起部が挿入して係合する保持穴を複数有し、上記突起部と保持穴の係合により回転姿勢を保持することが可能となる。また、保持部材は、厚み方向に弾性力を有するので、可動側部材は回転軸の回転方向に合わせて回転させることにより、上記突起部の係合が解除される。
【００１６】
また、請求項３は請求項２に記載のチルト装置であって、上記固定手段は、上記固定側部材の上記回転軸が貫通する貫通穴の断面形状を長穴にした扁平形状とするとともに、上記回転軸の上記固定側部材を貫通する部位の断面を上記貫通穴の扁平形状と係合するよう頂点近傍をカットした形状とする構成である。
【００１７】
上記のように構成した請求項３に記載のチルト装置は、固定側部材と回転軸の回転を阻害するために、上記固定側部材の上記回転軸が貫通する貫通穴の断面形状を長穴にした扁平形状とし、上記回転軸の上記固定側部材を貫通する部位の断面を上記貫通穴の扁平形状と係合するよう頂点近傍をカットしている。
【００１８】
さらに、請求項４は請求項２または請求項３のいずれかに記載のチルト装置であって、上記保持部材は上記回転軸が貫通する貫通穴を有し、上記固定側部材とで、上記可動側部材を挟み込むよう上記回転軸に貫通される構成である。
【００１９】
上記のように構成した請求項４に記載のチルト装置は、上記保持部材と上記固定側部材と上記可動側部材とは回転軸にて、上記可動側部材を挟み込むよう貫通される。
【００２０】
また、請求項５は請求項２〜請求項４のいずれかに記載のチルト装置であって、上記回転軸は、断面円形の厚みの薄い傘部の略中心から延設する軸部を有する第一の回転軸と、同第一の回転軸と同形状の第二の回転軸とから構成される構成としている。
【００２１】
上記のように構成された請求項５に記載のチルト装置は、上記回転軸は、第一の回転軸と第二の回転軸とから構成される。
【００２２】
さらに、請求項６は請求項２〜請求項５のいずれかに記載のチルト装置であって、上記可動側部材の保持穴は、上記可動側部材を上記回転軸に沿わせて回転させた際、上記可動側部材の回転姿勢が、上記固定側部材の配置面に対して略垂直になるよう配置される第二の保持穴と、上記固定側部材の配置面に対して略垂直より１０度だけ前に傾くよう配置される第三の保持穴と、上記固定側部材の配置面に対して略垂直より１０度だけ後ろに傾くよう配置される第四の保持穴とを有する構成としている。
【００２３】
上記のように構成した請求項６に記載のチルト装置は、上記第一の保持穴と、上記第二の保持穴と、上記第三の保持穴と、上記第四の保持穴に上記保持部材の突起部を挿入して係合することで、四パターンの姿勢を取ることが可能となる。
【発明の効果】
【００２４】
以上説明したように本発明によれば、チルト装置のロック機構とトルク発生機構を一つの部品で構成することで組み立て効率を向上させることが可能なチルト装置を提供することができる。
また、請求項３にかかる発明によれば、回転軸の断面形状を工夫して固定側部材の回転の規制を行うので、構造をシンプルにすることができる。
さらに、請求項４にかかる発明によれば、固定側部材と可動側部材と保持部材とを同一の回転軸にて貫通するので、ロック機構を簡易な構成で実現することができる。
また請求項５にかかる発明によれば、回転軸を２本の軸から構成しているので幅の広い構成においては材料を節約することができる。
そして請求項６にかかる発明によれば、チルト位置を４段階に設定するとともに、可動側部材が、固定側部材と略垂直になるよう回転姿勢を取るので梱包時にコンパクトに収納でき、梱包材を減らすことが可能となる。
さらに請求項１のような、より具体的な構成において、上述した請求項２〜請求項４の各発明と同様の作用を奏することはいうまでもない。
【発明を実施するための最良の形態】
【００２５】
本発明のチルト装置の具体的な説明として、上記チルト装置を使用する液晶パネル用スタンドを基に説明する。しかしながら、本発明のチルト装置は上記液晶パネル用スタンドに限定されるものではなく、本発明のチルト装置を使用するものであれば応用することができる。以下、下記の順序に従って本発明の実施形態を説明する。
（１）液晶スタンドの構成
（２）変形例
（３）まとめ
【００２６】
（１）液晶スタンドの構成 
図１は液晶スタンドの正面図と側面図とを表す図である。同図より、液晶パネル用スタンド１０は、可動側部材１１と固定側部材１２と回転軸１３と保持部材１４とから構成される。液晶パネル用スタンド１０は可動側部材１１に固定した液晶パネルを所定の角度に傾けることが可能である。保持部材１４の形状を工夫するとともに、同保持部材の固定方法を工夫して液晶パネル用スタンド１０の回転姿勢を保持可能とした。
【００２７】
図２は固定側部材の斜視図である。同図より、固定側部材１２は、第一の台座面１２ａと、第二の台座面１２ｂと、連結面１２ｃ、１２ｄと、回転軸支持面１２ｅ、１２ｆとから構成されている。台座面１２ａ、１２ｂは、液晶パネル用スタンド１０の座面設置面と略並行に配置され、液晶パネルの重量を支える幅広の第一の台座面１２ａ、１２ｂと第二の台座面１２ａ、１２ｂとから構成されている。連結面対１２ｃ、１２ｄは、第一の台座面１２ａ、１２ｂと第二の台座面１２ａ、１２ｂから上方に延設するよう形成されている。連結面１２ｃ、１２ｄには、回転軸１３が貫通する長穴の第一の貫通穴１２ｇ、１２ｈを有している。第一の貫通穴１２ｇ、１２ｈは、後述する回転軸１３ａ、１３ｂの所定断面と係合することで固定側部材１２を貫通した回転軸１３ａ、１３ｂの回転を阻害する固定手段として作用する。また、回転軸支持面１２ｅ、１２ｆは、第一の台座面１２ａと第二の台座面１２ｂから上方に連結面１２ｃ、１２ｄと略平行に所定間隔を有して向かいあうよう延設している。回転軸支持面１２ｅ、１２ｆは、向かい合う連結面対１２ｃ、１２ｄの第一の貫通穴１２ｇ、１２ｈと略同等の位置にネジが貫通する第二の貫通穴１２ｉ、１２ｊを有している。
【００２８】
図３は保持部材の正面図と側面図である。同図より、保持部材１４は回転軸１３が貫通するための扁平の第三の貫通穴１４ａを略中心とする円形断面の形状であって、上記円形断面の片側面より上方に２〜３ミリほど突出する第一の突起部１４ｂと、第二の突起部１４ｃを有する。第三の貫通穴１４ａは、上記第一の貫通穴１１ｂ１、１１ｃ１と同様に径方向を長穴にした扁平形状である。また、保持部材１４は、上記突起部１４ｂ、１４ｃが突出する方向に付勢力を有するよう厚みの薄い形状である。第二の突起部１４ｃは、第一の突起部１４ｂに対して、第三の貫通穴１４ａを略中心とする同円周上の略９０度だけ開いた位置より突出している。保持部材１４の材質としては、上述した突起部１４ｂ、１４ｃが突出する方向に付勢力を有するようバネ鋼等の弾性力を有する材質をもちいることが望ましい。さらに保持部材１４は、後述するよう可動側部材に液晶パネル等のフラットパネルを固定して回転姿勢を保持するものであるので、固定するフラットパネルの重量に対して突起部１４ｂ、１４ｃが十分なたわみ応力を有する材料であることが望ましい。また、上記突起部の形成としては、プレス等による一体成形でもよいし、突起部１４ｂを別部品から構成して保持部材１４と固定させてもよい。
【００２９】
可動側部材１１は、パネル固定面１１ａと、縁面１１ｂ、１１ｃとから構成されている。パネル固定面１１ａは、液晶パネルの背面と略並行に接するようネジ止めするため、パネル固定面１１ａには、ネジが貫通するネジ穴１１ａ１、１１ａ２、１１ａ３、１１ａ４を有する構成である。緑面１１ｂ、１１ｃは、パネル固定面１１ａの幅方向両端より前方に延設し、パネル固定面１１ａを底面とするリブ形状を構成している。また、緑面１１ｂ、１１ｃは回転軸１３が貫通する円形断面の第四の貫通穴１１ｂ１、１１ｃ１と、第四の貫通穴１１ｂ１、１１ｃ１を略中心として、第三の貫通穴１４ａの略中心から突起部の略中心までの長さと略同じ長さを径とする円周上に保持穴１５、１６を有する形状である
【００３０】
保持穴１５、１６は、後述する方法により、保持部材１４と固定側部材とを固定した際、保持部材１４の突起部１４ｂが挿入して、可動側部材１１の回転姿勢を保持するもので、上記第四の貫通穴から略鉛直上方に配置されて上記突起部が挿入する開口部を有する第一の保持穴１５、１６と、上記円周上の第一の保持穴１５、１６から厚み方向前方に略１０度だけ傾いた位置に配置された第二の保持穴１５、１６と、上記円周上の第一の保持穴１５、１６から厚み方向後方に略１０度だけ傾いた位置に配置された第三の保持穴１５、１６と、上記円周上の上記第一の保持穴１５、１６から厚み方向に略９０度だけ傾いた位置に配置された第四の保持穴１５、１６とを有する構成である。、
【００３１】
回転軸１３は、第一の回転軸１３ａと第二の回転軸１３ｂを有する構成である。第一の回転軸１３ａと第二の回転軸１３ｂは形状が同一であるため、第一の回転軸１３ａのみを説明することで第二の回転軸１３ｂの説明を省略する。第一の回転軸１３ａは、傘部１７と軸部１８とから構成されている。傘部１７は、厚みの薄い略円形断面の形状であって、同傘部１７の略中央から軸部１８は延設している。このため、上記第一の回転軸１３ａを上記各貫通穴に貫通させた際、軸部１８の抜け止めとして作用する。
【００３２】
軸部１８は、さらに断面の形状が異なる、第一の部位１８ａ、第二の部位１８ｂ、第三の部位１８ｃ、第四の部位１８ｄとから構成されている。第一の部位１８ａは、傘部１７から軸の延設方向に保持部材１４の厚み分だけ延設する部位が頂点近傍をカットした扁平形状となっている。第二の部位１８ｂは、第一の部位１８ａから可動側部材１１の厚み分だけ延設する部位の断面が略円形となっている。第三の部位１８ｃは、第二の部位１８ｂから軸方向へ固定側部材１２の厚み分だけ延設する部位が頂点近傍をカットした扁平形状の断面である。第四の部位１８ｄは、第三の部位１８ｃの端部から先端に掛けて雄ネジ部を有する構成である。第一の回転軸１３ａと第二の回転軸１３ｂの形成方法としては、一本の棒状部材から削りだして形成してもよいし、鍛造等の圧延により形成してもよい。
【００３３】
上述した、固定側部材１２、可動側部材１１、保持部材１４、および回転軸１３を用いて、液晶パネル用スタンド１０を組み立てる方法を以下に説明する。まず、固定側部材１２の連結面１２ｃ、１２ｄと可動側部材１１の縁面１１ｂ、１１ｃと保持部材１４とを、連結面１２ｃ、１２ｄを内側に、保持部材１４を外側に配置することで縁面１１ｂ、１１ｃが連結面１２ｃ、１２ｄと保持部材１４にて挟まれるよう配置する。このとき、保持部材１４の突起部１４ｂが可動側部材１１の保持穴１５、１６に挿入するよう配置する。次に、第一の回転軸１３ａと第二の回転軸１３ｂを用いて、保持部材１４側から第三の貫通穴１４ａと、第四の貫通穴１１ｂ１、１１ｃ１と第一の貫通穴１２ｇ、１２ｈとを順番に貫通させていく。上記方法で貫通させた第一の回転軸１３ａと第二の回転軸１３ｂは、パイプ形状の支持部材１９、２０を用いて固定する。支持部材１９、２０のパイプ穴内壁面には、第一の回転軸１３ａと第二の回転軸１３ｂの第四の部位１８ｄと螺合する雌ネジ部を有しており、これにより、第一の回転軸１３ａと第二の回転軸１３ｂは第四の部位１８ｄにて支持部材１９、２０と螺合する。
【００３４】
図５は、回転軸の貫通部を拡大した図である。同図より、第一の回転軸１３ａと第二の回転軸１３ｂの第一の部位１８ａの扁平断面は、保持部材１４の第三の貫通穴１４ａの扁平形状の穴と係合する。同様に、第一の回転軸１３ａと第二の回転軸１３ｂの第三の部位１８ｃの扁平断面は、固定側部材１２の第一の貫通穴１２ｈ、１２ｇの扁平形状の穴と係合する。可動側部材１１の第四の貫通穴１１ｂ１、１１ｃ１と第一の回転軸１３ａと第二の回転軸１３ｂの第二の部位１８ｂは互いに断面が円形であるので、第一の回転軸１３ａと第二の回転軸１３ｂは、固定側部材１２と保持部材１４とで固定されるが、可動側部材１１は回転可能に保持される。
【００３５】
次に、第一の回転軸１３ａと第二の回転軸１３ｂを固定した支持部材１９，２０が回転しないよう回転軸支持面１２ｅ、１２ｆ側から支持部材１９、２０と固定する。支持部材１９、２０を回転軸支持面１２ｅ、１２ｆと固定する方法としては、回転軸支持面１２ｅ、１２ｆが有する第二の貫通穴１２ｉ、１２ｊを用いて、支持部材１９、２０をネジ止めしてもよいし、首下の広がったテーバー形状のピンを第二の貫通穴に貫通させた後支持部材１９、２０をカシメ加工してもよい。上記固定方法により、支持部材１９、２０の回転が阻害されるとともに、第一の回転軸１３ａと第二の回転軸１３ｂの傘部１７の首下面が、保持部材１４の第三の貫通穴１４ａの週緑部を押圧することで保持部材１４の突起部１４ｂを有する面と可動側部材１１の縁面１１ｂ、１１ｃとが圧接する。これにより、各保持穴に挿入した突起部１４ｂの突出方向に押圧が発生するため、保持部材１４は、ロック機構を有することとなる。
【００３６】
上記構成で、可動側部材１１を回転軸１３を中心として、縁面１１ｂ、１１ｃと平行に回転させた場合、保持部材１４は突起部１４ｂの突出する方向に弾性力を有するので、緑面１１ｂ、１１ｃの回転に合わせて保持穴１５、１６の底面に押し上げられた突起部１４ｂは、保持穴１５、１６からはずれ可動側部材１１と保持部材１４との固定が解除される。さらに、可動側部材１１の回転を維持すると、突起部１４ｂは、次の保持穴１５、１６に挿入し可動側部材１１と固定側部材１２は突起部１４ｂにて固定される。
【００３７】
このとき、可動側部材１１は、上述した保持穴１５、１６を第四の貫通穴１１ｂ１、１１ｃ１を略中心として、保持部材１４の第三の貫通穴１４ａの軸心から突起部１４ｂの軸心までの長さと略同等の長さを径とする円周上に第一の保持穴１５ａ、１６ａと第二の保持穴１５ｂ、１６ｂと第三の保持穴１５ｃ、１６ｃとを配置している。これにより可動側部材１１の縁面１１ｂ、１１ｃの回転にともない突起部１４ｂ、１４ｃは縁面１１ｂ、１１ｃの上記円周上に形成された各保持穴に挿入することで、可動側部材のパネル固定面１１ａの回転姿勢を変化させる。
【００３８】
図６は、液晶パネル用スタンドの回転姿勢を表す図である。同図より、第一の保持穴１５ａ、１６ａに突起部１４ｂが挿入するよう可動側部材１１を回転させた場合には、液晶パネルを固定したパネル固定面１１ａは、設置面と略垂直になるような図におけるＡの姿勢を取る。また、第二の保持穴１５ｂ、１６ｂと第三の保持穴１５ｃ、１６ｃに突起部１４ｂが挿入した場合は、液晶パネルは、第一の保持穴１５、１６に突起部１４ｂを挿入した姿勢に対してそれぞれ前方に約１０度、後方に約１０度傾いた図におけるＢとＣの姿勢で配置される。さらに、可動側部材１１を設置面と略並行に回転させて、第一の保持穴１５ａ、１６ａに突起部１４ｃを挿入した場合は、液晶パネルは設置面と略水平である図におけるＤの姿勢で配置される。この姿勢は、液晶パネル用スタンド１０をコンパクトにすることが可能となり、同液晶パネル用スタンド１０を出荷するため梱包する際に、ダンボール等の梱包材を少なくすることが可能となる。
【００３９】
（２）変形例
上記した液晶パネル用スタンド１０は、上述したように、可動側部材１１と固定側部材１２を回転軸１３にて回転可能に連結させるとともに、突起部１４ｂを有する保持部材１４を用いて可動側部材１１の回転姿勢を保持するものであればよい。そのため図７に示す実施形態の変形例では保持部材１４を回転軸１３で貫通させることなく、固定側部材１２に固定用のネジ２１を用いて直接固定している。これにより、保持部材１４は、回転軸１３と略並行な力にて突起部１４ｂの突出方向に押圧を有するよう上記固定側部材とネジ止めされる。また、可動側部材１１は、回転軸１３に沿って同可動側部材１１を回転させた際、可動側部材１１と突起部１４ｂが対応する軌跡上に保持穴１５、１６を配置すればよい。
【００４０】
上記構造においても、保持部材１４の突起部１４ｂを可動側部材１１の各保持穴に挿入するよう回転軸１３を中心として回転させることで、可動側部材１１の回転姿勢を変えることが可能となるので、上述した構成と同様のチルト装置と同等の機能を有することが可能である。
【００４１】
（３）まとめ
固定側部材１２は回転軸１３が貫通するとともに、同貫通した回転軸１３の軸心を中心とした回転を阻害するよう固定する固定手段を有し、保持部材１４は、片側面より突出する突起部１４ｂを有し、突起部１４ｂの突出する方向に付勢力を有する厚みの薄い形状であって、回転軸１３と略並行な力にて突起部１４ｂの突出方向に押圧を有するよう固定側部材１２と固定され、可動側部材１１は、回転軸１３に沿って可動側部材１１を回転させた際、固定側部材１２に固定される保持部材１４の突起部１４ｂが挿入して係合する開口部である保持穴１５、１６を複数有するので、板バネ等のトルク発生機構を使用することなく、チルト装置のロック機構とトルク発生機構を一つの部品で構成し、組み立て効率を向上させる。
【００４２】
また、上記目的を達成するために、請求項２に記載のチルト装置では、液晶パネルを固定する可動側部材と、上記可動側部材を支持する固定側部材と、上記可動側部材と固定側部材とを貫通して回転可能に連結する回転軸と、上記回転軸を介して所定の角度だけ回転した可動側部材の回転姿勢を保持するための保持部材とから構成されたチルト装置において、上記固定側部材は上記回転軸が貫通するとともに、同貫通した回転軸の軸心を中心とした回転を阻害するよう固定する固定手段を有し、上記保持部材は、片側面より突出する突起部を有し、上記突起部の突出する方向に付勢力を有する厚みの薄い形状であって、上記回転軸と略並行な力にて上記突起部の突出方向に押圧を有するよう上記固定側部材と固定され、上記可動側部材は、上記回転軸に沿って同可動側部材を回転させた際、上記固定側部材に固定される保持部材の突起部が挿入して係合する開口部である保持穴を複数有する構成としてある。
【００４３】
上記のように構成した請求項２の発明では、可動側部材と固定側部材とは回転軸にて回転可能に結合するとともに、固定側部材を貫通する回転軸は、固定手段によって回転を阻害するよう固定されている。また、保持部材は、固定側部材と上記回転軸と略並行に上記突起部の突出する方向に押圧を有するよう固定されている。このとき、可動側部材を上記回転軸に沿わして回転した際、上記突起部が挿入して係合する保持穴を複数有し、上記突起部と保持穴の係合により回転姿勢を保持することが可能となる。また、保持部材は、厚み方向に弾性力を有するので、可動側部材は回転軸の回転方向に合わせて回転させることにより、上記突起部の係合が解除されるので、チルト装置のロック機構とトルク発生機構を一つの部品で構成することで組み立て効率を向上させることが可能なチルト装置を提供することができる。
【００４４】
また、請求項３は請求項２に記載のチルト装置であって、上記固定手段は、上記固定側部材の上記回転軸が貫通する貫通穴の断面形状を長穴にした扁平形状とし、上記回転軸の上記固定側部材を貫通する部位の断面を上記貫通穴の扁平形状と係合するよう頂点近傍をカットした形状とする構成である。
【００４５】
上記のように構成した請求項３に記載のチルト装置は、固定側部材と回転軸の回転を阻害するために、上記固定側部材の上記回転軸が貫通する貫通穴の断面形状を長穴にした扁平形状とし、上記回転軸の上記固定側部材を貫通する部位の断面を上記貫通穴の扁平形状と係合するよう頂点近傍をカットしているので、回転軸の断面形状を工夫して固定側部材の回転の規制を行うので、構造をシンプルにすることができる。
【００４６】
さらに、請求項４は請求項２または請求項３のいずれかに記載のチルト装置であって、上記保持部材は上記回転軸が貫通する貫通穴を有し、上記固定側部材とで、上記可動側部材を挟み込むよう上記回転軸に貫通される構成である。
【００４７】
上記のように構成した請求項４に記載のチルト装置は、上記保持部材と上記固定側部材と上記可動側部材とは回転軸にて、上記可動側部材を挟み込むよう貫通されるので、固定側部材と可動側部材と保持部材とを同一の回転軸にて貫通するので、ロック機構を簡易な構成で実現することができる。
【００４８】
また、請求項５は請求項２〜請求項４のいずれかに記載のチルト装置であって、上記回転軸は、断面円形の厚みの薄い傘部の略中心から延設する軸部を有する第一の回転軸と、同第一の回転軸と同形状の第二の回転軸とから構成される構成としている。
【００４９】
上記のように構成された請求項５に記載のチルト装置は、上記回転軸は、第一の回転軸と第二の回転軸とから構成するので幅の広い構成においては材料を節約することができる。
【００５０】
さらに、請求項６は請求項２〜請求項５のいずれかに記載のチルト装置であって、上記可動側部材の保持穴は、上記可動側部材を上記回転軸に沿わせて回転させた際、上記可動側部材の回転姿勢が、上記固定側部材の配置面に対して略垂直になるよう配置される第二の保持穴と、上記固定側部材の配置面に対して略垂直より１０度だけ前に傾くよう配置される第三の保持穴と、上記固定側部材の配置面に対して略垂直より１０度だけ後ろに傾くよう配置される第四の保持穴とを有する構成としている。
【００５１】
上記のように構成した請求項６に記載のチルト装置は、上記第一の保持穴と、上記第二の保持穴と、上記第三の保持穴と、上記第四の保持穴に上記保持部材の突起部を挿入して係合することで、四パターンの姿勢を取ることが可能となるとともに、可動側部材が、固定側部材と略垂直になるよう回転姿勢を取るので梱包時にコンパクトに収納でき、梱包材を減らすことが可能となる。
【００５２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５３】
【図１】液晶パネル用スタンドの全体図である。
【図２】固定側部材の斜視図である。
【図３】保持部材の正面図と側面図である。
【図４】可動側部材の斜視図である。
【図５】第一の回転軸の拡大図である。
【図６】液晶パネル用スタンドの回転姿勢を示す図である。
【図７】液晶パネル用スタンドの変形例である。
【図８】従来のチルト装置を示す図である。
【符号の説明】
【００５４】
１０…液晶パネル用スタンド   １１…可動側部材、  １１ａ…パネル固定面、  １１ａ１、１１ａ２、１１ａ３、１１ａ４…ネジ穴  １１ｂ、１１ｃ…緑面、  １１ｂ１、１１ｃ１…第一の貫通穴、  １２…固定側部材  １２ａ…第一の台座面、  １２ｂ…第二の台座面、  １２ｃ、１２ｄ…連結面、  １２ｅ、１２ｆ…回転軸支持面、  １２ｇ、１２ｈ…第一の貫通穴、１２ｉ、１２ｊ…第二の貫通穴、  １３…回転軸、  １３ａ…第一の回転軸、  １３ｂ…第二の回転軸  １４…保持部材、１４ａ…第三の貫通穴、  １４ｂ…第一の突起部、  １４ｃ…第二の突起部  １５、１６…保持穴、  １５ａ、１６ａ…第一の保持穴、  １５ｂ、１６ｂ…第二の保持穴、  １５ｃ、１６ｃ…第三の保持穴  １７…傘部、  １８…軸部、１８ａ…第一の部位、  １８ｂ…第二の部位、  １８ｃ…第三の部位、  １８ｄ…第四の部位、  １９、２０…支持部材、  ２１…ネジ
【図１】
2007299025.tif 000003
【図２】
2007299025.tif 000004
【図３】
2007299025.tif 000005
【図４】
2007299025.tif 000006
【図５】
2007299025.tif 000007
【図６】
2007299025.tif 000008
【図７】
2007299025.tif 000009
【図８】
2007299025.tif 000010